(57)【要約】【課題】操作性にすぐれた緊急脱出補助用具を提供すること。【解決手段】使用者に把持される把持部（２）と、把持部に略対向して配設され使用者が把持部を把持した時に使用者の指部分を保護するための指保護部（３）とが、第１、第２連結部（４，５）で結ばれている。第２連結部（５）は外側に向かって丸く突出した中間部分を有し、その中間部分にシートベルトを切断するためのベルト切断部（６）が配設され、ベルト切断部は第２連結部材の外側から把持部に向かって延伸する切り込み（７）と、切り込みの底部に設けられたカッター（８）とを含む。第２連結部（５）の指保護部（３）との略境界部に窓を破壊するための打点金具（９）が配設されている。【選択図】図１
2007137312.tif 000002
【特許請求の範囲】
【請求項１】
自動車内に取り外し可能に配置される緊急脱出補助用具であって、
使用者に把持される把持部と、把持部に略対向して配設され使用者が把持部を把持した時に使用者の指部分を保護するための指保護部とが、２つの連結部で結ばれて、中央に空間を有するリング状に形成されていて、
前記２つの連結部の一方は外側に向かって丸く突出した中間部分を有し、該外側に向かって丸く突出した中間部分にシートベルトを切断するためのベルト切断部が配設され、ベルト切断部は連結部材の外側から把持部に向かって延伸する切り込みと、切り込みの底部に設けられたカッターとを含んでおり、
前記外側に向かって丸く突出した中間部分を有する一方の連結部の指保護部との略境界部に窓を破壊するための打点金具部が配設されている、
ことを特徴とする緊急脱出補助用具。
【請求項２】
ベルト切断部のカッターの刃面が、ほぼ、把持部の内側の面の延長線上に位置せしめられている、ことを特徴とする請求項１に記載の緊急脱出補助用具。
【請求項３】
ベルト切断部のカッターの刃面は、把持部の延長軸線方向から指保護部側へ微少角度傾いた方向に延伸している、ことを特徴とする請求項１または２に記載の緊急脱出補助用具。
【請求項４】
打点金具部は把持部の延長軸線方向に対して略垂直な方向に向かって突出している、ことを特徴とする請求項１から３のいずれか一項に記載の緊急脱出補助用具。
【発明の詳細な説明】
【技術分野】
【０００１】
本発明は、自動車内部に取り外し可能に配置され、事故が発生したときに、乗員が緊急脱出するために、シートベルトを切断し窓ガラスを破壊するために使用する緊急脱出補助用具に関する。
【背景技術】
【０００２】
自動車内部に取り外し可能に配置され、事故が発生したときに、乗員が緊急脱出するために、シートベルトを切断し窓ガラスを破壊するために使用する緊急脱出補助用具が開発され使用されている。全体が棒状のものでは、落下しやすく、落下させないためにはしっかりと握り続けなければならない。また、落下させると、シートベルトによる拘束、あるいは、車体形状、横転していた場合にはその車体姿勢等によって落下させた緊急脱出補助用具を取ることができない可能性も充分にある。
【０００３】
そこで、特許文献１は全体をリング状に形成して落下しにくいようにした緊急脱出補助用具を開示している。この特許文献１の装置は把持部に平行に指保護部が配置され、シートベルトを切断するためのベルト切断部と、窓ガラスを破壊するための打点金具部が、指保護部の外側に配置されている。
【０００４】
ところが、ベルト切断部は把持部に略平行に設けられた使用時に使用者の手を保護するための保護部の直線状に延びる外側の面に切り込みを入れ、その切り込みの底部にカッターを設けて形成されている。そのために、ベルトを切り込みに入れ切断する際、打点具を使用者側に向けて使用するか、もしくは逆方向に向けて使用される。打点具を使用者側に向けた場合は、打点具が使用者に向いているためベルトを切断する際、怪我をする可能性があり、逆に向けて使用する場合にはシートベルトを持ち上げて、セーフティーハンマーを入れる分のスペースを作らなければならず、事故の際にシートベルトがきつく締まっていた場合には使用することが難しい。
また、打点金具とベルト切断部が同じ側にあるので、切断する際に打点金具部がベルトに引っかかりやすい。
【０００５】
【特許文献１】特開平１１−０２８２５６号公報
【発明の開示】
【発明が解決しようとする課題】
【０００６】
本発明は、上記問題に鑑み、操作性にすぐれた緊急脱出補助用具を提供することを目的とする。
【課題を解決するための手段】
【０００７】
請求項１の発明によれば、自動車内に取り外し可能に配置される緊急脱出補助用具であって、使用者に把持される把持部と、把持部に略対向して配設され使用者が把持部を把持した時に使用者の指部分を保護するための指保護部とが、２つの連結部で結ばれて、中央に空間を有するリング状に形成されていて、前記２つの連結部の一方は外側に向かって丸く突出した中間部分を有し、該外側に向かって丸く突出した中間部分にシートベルトを切断するためのベルト切断部が配設され、ベルト切断部は連結部材の外側から把持部に向かって延伸する切り込みと、切り込みの底部に設けられたカッターとを含んでおり、前記外側に向かって丸く突出した中間部分を有する一方の連結部の指保護部との略境界部に窓を破壊するための打点金具部が配設されている、緊急脱出補助用具が提供される。
【０００８】
請求項２の発明では、ベルト切断部のカッターの刃面が、ほぼ、把持部の内側の面の延長線上に位置するようにされている。
請求項３の発明では、ベルト切断部のカッターの刃面は、把持部の延長軸線方向から指保護部側へ微少角度傾いた方向に延伸するようにされている。
【０００９】
請求項４の発明では、打点金具部は把持部の延長軸線方向に対して略垂直な方向に向かって突出するようにされている。
【発明の効果】
【００１０】
本発明によれば、ベルト切断部は特許文献１のように把持部の直線状に延びる外側の面に切り込みを入れ、その切り込みの底部にカッターを設けて形成されておらず、把持部と指保護部を連結する連結部材の丸く突出して形成された中間部分に配設され、ベルトを容易にカッターの配設された切り込みに導き入れることができる。
また、打点金具はベルト切断部が異なる面にあるので、切断する際に打点金具部がベルトに引っかかることがおきにくい。
【発明を実施するための最良の形態】
【００１１】
以下、添付の図面を参照して本発明の実施の形態について説明する。
図１は本発明の緊急脱出補助用具を使用時の移動平面に対して垂直な方向から見た図である。
緊急脱出補助用具１は使用者により把持される把持部２、把持部２に対向して配置され使用者が把持部２を把持した時に使用者の指を保護する指保護部３を有する。把持部２と指保護部３は、図中下側の第１連結部４と、図中上側の第２連結部５により結ばれている。把持部２と指保護部３、及び、第１連結部４と第２連結部５は一体成形されている。
【００１２】
第２連結部５の中間部分が外側に向かって丸く突出して形成され、第２連結部の丸く突出して形成された中間部分にベルト切断部６が配設され、第２連結部５と指保護部２との略境界部分に打点金具部９が配設されている。打点金具部９は第２連結部５から、把持部２の長手軸線Ｘ２に対して略垂直に、外側に突出する突起１０を含んでいる。
【００１３】
ベルト切断部６は第２連結部５の中間部の外側から把持部２に向かって斜めに延伸する切り込み７と、切り込み７の底部に設けられたカッター８とを含む。切り込み７は把持部２の長手軸線Ｘ２に対して約６０度の角度だけ打点金具部９の側へ傾斜して形成されている。
カッター８は、ほぼ、把持部２の内面２’の延長線Ｘ１上に配設され、その刃面８ａは把持部２の長手軸線Ｘ２から打点金具部９の側へ若干傾斜するように取り付けられている。
【００１４】
図２は、図１の緊急脱出補助用具１の分解組み立て図である。緊急脱出補助用具１は２つの半割体１ａ、１ｂを複数のネジ１１で結合して形成される。それに応じて、把持部２は把持部半割体２ａ，２ｂを結合して形成され、指保護部３は指保護部半割体３ａ，３ｂを結合して形成され、第１連結部４は第１連結部半割体４ａ，４ｂを結合して形成され、第２連結部５は第２連結部半割体５ａ，５ｂを結合して形成され、切り込み７は切り込み半割体７ａ，７ｂを結合して形成される。
【００１５】
打点金具部９は、第２連結部半割体５ａ，５ｂにそれぞれ形成された打点金具支持部材半割体１１ａ，１１ｂにより支持される。カッター８も第２連結部半割体５ａ，５ｂにそれぞれ形成されたカッター支持部材半割体１２ａ，１２ｂに挟持される。カッター支持部材半割体１２ａ，１２ｂの合わせ面には、互いに相補的に係合するように、１２ａの方には凸部１３ａが、１２ｂの方には凹部１３ｂが形成されており、凸部１３ａにカッター８に形成されている穴８ａが係合される。
【産業上の利用可能性】
【００１６】
本発明は、自動車内に取り外し可能に配置される緊急脱出補助用具に適用することができる。
【図面の簡単な説明】
【００１７】
【図１】本発明の緊急脱出補助用具を使用時の移動平面に対して垂直な方向から見た図である。
【図２】図１の緊急脱出補助用具の分解組立て図である。
【符号の説明】
【００１８】
１    緊急脱出補助用具
２    把持部
３    指保護部
４    第１連結部
５    第２連結部
６    ベルト切断部
７    切り込み
８    カッター
９    打点金具部
【図１】
2007137312.tif 000003
【図２】
2007137312.tif 000004